(57)【要約】【課題】電子ペンを利用して取得するデジタルデータに基づいて、複写処理及び減感処理を施した画像情報を容易に生成することができる処理システムを提供する。【解決手段】処理システム１００において、利用者は、電子ペン１０により申込書３へ記入する。電子ペン１０は、申込書３への記入内容を記入情報としてサーバ５に送信する。サーバ５は、まず、特定識別情報に対応するエリア座標情報を抽出し、当該エリア座標情報に基づいて、記入情報から情報取得エリア内に記入された情報に対応する画像情報を抽出することで、記入画像情報を生成する。また、サーバ５は、特定識別情報に対応する背景画像情報を抽出し、生成した記入画像情報と合成することで合成画像情報を生成する。これによれば、電子ペンにより取得するデジタルデータにおいても、通常の紙媒体において転記機能及びや減感機能等を施したのと同様の効果を得ることができる。【選択図】図１３
2008097120.tif 000002
【特許請求の範囲】
【請求項１】
電子ペンにより認識可能なドットパターンが印刷された電子ペン用帳票に記入された情報を処理する処理装置において、
前記電子ペンを使用して前記電子ペン用帳票に記入された記入情報を取得する記入情報取得手段と、
前記記入情報に基づいて生成する記入画像情報を識別する識別情報と、前記電子ペン用帳票において前記記入画像情報に必要な情報が記入されるエリアを示す前記ドットパターン上の位置座標であるエリア座標情報とを対応付けて記憶するエリア座標情報記憶手段と、
特定の識別情報である特定識別情報に基づいて、前記エリア座標情報記憶手段から対応するエリア座標情報を抽出するエリア座標情報抽出手段と、
前記記入情報から、前記エリア座標情報抽出手段が抽出したエリア座標情報に基づいて、前記エリアに記入された情報に対応する画像情報である記入画像情報を生成する記入画像情報生成手段と、を備えることを特徴とする処理装置。
【請求項２】
電子ペンにより認識可能なドットパターンが印刷された電子ペン用帳票に記入された情報を処理する処理装置において、
前記電子ペンを使用して前記電子ペン用帳票に記入された記入情報を取得する記入情報取得手段と、
前記記入情報に基づいて生成する合成画像情報を識別する識別情報と、前記電子ペン用帳票において前記合成画像情報に必要な情報が記入されるエリアを示す前記ドットパターン上の位置座標であるエリア座標情報とを対応付けて記憶するエリア座標情報記憶手段と、
前記識別情報と、前記合成画像情報に必要な背景画像に関する背景画像情報とを対応付けて記憶する背景画像情報記憶手段と、
特定の識別情報である特定識別情報に基づいて、前記エリア座標情報記憶手段から対応するエリア座標情報を抽出するエリア座標情報抽出手段と、
前記記入情報から、前記エリア座標情報抽出手段が抽出したエリア座標情報に基づいて、前記エリアに記入された情報に対応する画像情報である記入画像情報を生成する記入画像情報生成手段と、
前記特定識別情報に基づいて、前記背景画像情報記憶手段から対応する背景画像情報を抽出する背景画像情報抽出手段と、
前記記入画像情報抽出手段が生成した記入画像情報と、前記背景画像情報抽出手段が抽出した背景画像情報とに基づいて、前記特定識別情報に対応する合成画像情報を生成する合成画像情報生成手段と、を備えることを特徴とする処理装置。
【請求項３】
前記電子ペン用帳票は、当該電子ペン用帳票に記入した情報が複写される複数枚の複写帳票と１組の帳票セットとなっており、前記合成画像情報を識別する識別情報は、１組の帳票セットを構成する各帳票の枚目を識別する情報であって、
前記合成画像情報に必要な情報が記入されるエリアは、前記電子ペン用帳票に記入した情報が前記複写帳票に複写されるエリアであり、
前記背景画像情報は、前記電子ペン用帳票又は前記複写帳票において記入又は複写が行われない背景画像に関する情報であることを特徴とする請求項２に記載の処理装置。
【請求項４】
電子ペンにより認識可能なドットパターンが印刷された電子ペン用帳票に記入された情報を処理するコンピュータにより実行されるプログラムであって、
前記電子ペンを使用して前記電子ペン用帳票に記入された記入情報を取得する記入情報取得手段、
前記記入情報に基づいて生成する記入画像情報を識別する識別情報と、前記電子ペン用帳票において前記記入画像情報に必要な情報が記入されるエリアを示す前記ドットパターン上の位置座標であるエリア座標情報とを対応付けて記憶するエリア座標情報記憶手段、
特定の識別情報である特定識別情報に基づいて、前記エリア座標情報記憶手段から対応するエリア座標情報を抽出するエリア座標情報抽出手段、
前記記入情報から、前記エリア座標情報抽出手段が抽出したエリア座標情報に基づいて、前記エリアに記入された情報に対応する画像情報である記入画像情報を生成する記入画像情報生成手段、として前記コンピュータを機能させることを特徴とするプログラム。
【請求項５】
電子ペンにより認識可能なドットパターンが印刷された電子ペン用帳票に記入された情報を処理するコンピュータにより実行されるプログラムであって、
前記電子ペンを使用して前記電子ペン用帳票に記入された記入情報を取得する記入情報取得手段、
前記記入情報に基づいて生成する合成画像情報を識別する識別情報と、前記電子ペン用帳票において前記合成画像情報に必要な情報が記入されるエリアを示す前記ドットパターン上の位置座標であるエリア座標情報とを対応付けて記憶するエリア座標情報記憶手段、
前記識別情報と、前記合成画像情報に必要な背景画像に関する背景画像情報とを対応付けて記憶する背景画像情報記憶手段、
特定の識別情報である特定識別情報に基づいて、前記エリア座標情報記憶手段から対応するエリア座標情報を抽出するエリア座標情報抽出手段、
前記記入情報から、前記エリア座標情報抽出手段が抽出したエリア座標情報に基づいて、前記エリアに記入された情報に対応する画像情報である記入画像情報を生成する記入画像情報生成手段、
前記特定識別情報に基づいて、前記背景画像情報記憶手段から対応する背景画像情報を抽出する背景画像情報抽出手段、
前記記入画像情報抽出手段が生成した記入画像情報と、前記背景画像情報抽出手段が抽出した背景画像情報とに基づいて、前記特定識別情報に対応する合成画像情報を生成する合成画像情報生成手段、として前記コンピュータを機能させることを特徴とするプログラム。
【発明の詳細な説明】
【技術分野】
【０００１】
本発明は、電子ペン用帳票に記入された情報に基づいて所定の処理を行うための技術に関する。
【背景技術】
【０００２】
銀行で使用される帳票の場合、１枚の書式を複数の用途で利用することが多い。具体的には、１枚の書式を「お客様控」、「営業控」、「管理部門控」といった複数の用途で利用することが多い。そのため、銀行で使用される帳票は、１枚目に記入した内容を他の枚目の項目に複写（転記）する機能を有している。
【０００３】
なお、このような帳票は、特定の枚目において複写が不要な情報や内容については、対応する項目に減感処理等を施すことで複写しないようにする機能を有している。減感処理等とは、他の枚目に情報を複写しないようにする印刷技術のことである。
【０００４】
一方、近年、「電子ペン」、「デジタルペン」などと呼ばれるペン型入力デバイスが登場しており（以下、本明細書では「電子ペン」と呼ぶ。）、その代表的なものとしてスウェーデンのAnoto社が開発した「アノトペン（Anoto pen）」が知られている。アノトペンは、所定のドットパターンが印刷された専用紙（以下、「専用ペーパー」とも呼ぶ。）とペアで使用される。アノトペンは、通常のインクタイプのペン先部に加えて、専用紙上のドットパターンを読み取るための小型カメラと、データ通信ユニットを搭載している。利用者が専用紙上にアノトペンで文字などを書いたり、専用紙上に図案化されている画像をチェックしたりすると、ペンの移動に伴って小型カメラが専用紙上のドットパターンを検出し、利用者が書き込んだ文字、画像などの記入情報が取得される。この記入情報が、データ通信ユニットによりアノトペンから近くのパーソナルコンピュータや携帯電話などの端末装置に送信される。このアノトペンを利用したシステムは、キーボードに代わる入力デバイスとして利用することが可能であり、上述のパーソナルコンピュータやキーボードの使用に抵抗がある利用者にとっては非常に使いやすい。そのため、現在、各種ビジネス上の書類、申込書、契約書等に記入されたデータをデジタル化する手法として、電子ペンを利用したシステムが普及しつつある（例えば、特許文献１）。そのため、上記のように銀行で使用される帳票において電子ペンを利用することも普及しつつある。
【０００５】
このことから、通常、紙媒体の帳票に複写処理及び減感処理を施すことに伴い、電子ペンを利用して取得するデジタルデータにおいても複写処理及び減感処理に対応する機能を搭載することができれば便利である。
【０００６】
【特許文献１】特開２００４−１５３６１２号公報
【発明の開示】
【発明が解決しようとする課題】
【０００７】
本発明は、以上の点に鑑みてなされたものであり、電子ペンを利用して取得するデジタルデータに基づいて、複写処理及び減感処理等を施した画像情報を容易に生成することができる処理システムを提供することを課題とする。
【課題を解決するための手段】
【０００８】
本発明の１つの観点では、電子ペンにより認識可能なドットパターンが印刷された電子ペン用帳票に記入された情報を処理する処理装置において、前記電子ペンを使用して前記電子ペン用帳票に記入された記入情報を取得する記入情報取得手段と、前記記入情報に基づいて生成する記入画像情報を識別する識別情報と、前記電子ペン用帳票において前記記入画像情報に必要な情報が記入されるエリアを示す前記ドットパターン上の位置座標であるエリア座標情報とを対応付けて記憶するエリア座標情報記憶手段と、特定の識別情報である特定識別情報に基づいて、前記エリア座標情報記憶手段から対応するエリア座標情報を抽出するエリア座標情報抽出手段と、前記記入情報から、前記エリア座標情報抽出手段が抽出したエリア座標情報に基づいて、前記エリアに記入された情報に対応する画像情報である記入画像情報を生成する記入画像情報生成手段と、を備える。
【０００９】
上記のように構成された処理装置において、利用者は、電子ペンを使用して電子ペン用帳票に記入を行う。すると、電子ペンは、電子ペンの移動に伴って電子ペン用帳票上のドットパターンを読み取り、利用者が記入した記入内容に関するストロークや座標に関する情報等を取得する。なお、処理装置は、予めエリア座標情報を記憶している。エリア座標情報とは、記入情報から、電子ペン用帳票のどのエリアの情報を取得するかを示す情報取得エリアを特定するための座標情報であって、当該電子ペン用帳票に印刷されたドットパターン上の位置座標により表現される。処理装置は、特定識別情報に対応するエリア座標情報を抽出し、当該エリア座標情報に基づいて、記入情報から情報取得エリア内に記入された情報に対応する画像情報を抽出することで、記入画像情報を生成する。このように処理装置は、紙媒体である電子ペン用帳票に記入された情報に基づいて、情報取得エリアに応じた記入画像情報を生成することができる。これによれば、様々な情報取得エリアを設定するだけで容易に、様々なパターンのデジタルデータである記入画像情報を生成することができる。よって、電子ペンにより取得するデジタルデータにおいても、通常の紙媒体において転記機能及びや減感機能等を施したのと同様の効果を得ることができる。ここで、転記機能とは、所定の情報を複写する機能であり、減感機能等とは所定の情報を複写しないようにする機能である。
【００１０】
本発明の別の観点では、電子ペンにより認識可能なドットパターンが印刷された電子ペン用帳票に記入された情報を処理する処理装置において、前記電子ペンを使用して前記電子ペン用帳票に記入された記入情報を取得する記入情報取得手段と、前記記入情報に基づいて生成する合成画像情報を識別する識別情報と、前記電子ペン用帳票において前記合成画像情報に必要な情報が記入されるエリアを示す前記ドットパターン上の位置座標であるエリア座標情報とを対応付けて記憶するエリア座標情報記憶手段と、前記識別情報と、前記合成画像情報に必要な背景画像に関する背景画像情報と、を対応付けて記憶する背景画像情報記憶手段と、特定の識別情報である特定識別情報に基づいて、前記エリア座標情報記憶手段から対応するエリア座標情報を抽出するエリア座標情報抽出手段と、前記記入情報から、前記エリア座標情報抽出手段が抽出したエリア座標情報に基づいて、前記エリアに記入された情報に対応する画像情報である記入画像情報を生成する記入画像情報生成手段と、前記特定識別情報に基づいて、前記背景画像情報記憶手段から対応する背景画像情報を抽出する背景画像情報抽出手段と、前記記入画像情報抽出手段が生成した記入画像情報と、前記背景画像情報抽出手段が抽出した背景画像情報とに基づいて、前記特定識別情報に対応する合成画像情報を生成する合成画像情報生成手段と、を備える。
【００１１】
上記のように構成された処理装置において、利用者は、電子ペンを使用して電子ペン用帳票に記入を行う。すると、電子ペンは、電子ペンの移動に伴って電子ペン用帳票上のドットパターンを読み取り、利用者が記入した記入内容に関するストロークや座標に関する情報等を取得する。なお、処理装置は、予めエリア座標情報及び背景画像情報を記憶している。エリア座標情報とは、記入情報から、電子ペン用帳票のどのエリアの情報を取得するかを示す情報取得エリアを特定するための座標情報であって、当該電子ペン用帳票に印刷されたドットパターン上の位置座標により表現される。一方、背景画像情報とは、合成画像情報の背景となる固定デザインの画像に関するイメージデータ等である。処理装置は、特定識別情報に対応するエリア座標情報を抽出し、当該エリア座標情報に基づいて、記入情報から情報取得エリア内に記入された情報に対応する画像情報を抽出することで、記入画像情報を生成する。また、処理装置は、特定識別情報に対応する背景画像情報を抽出する。そして、処理装置は、生成した記入画像情報と抽出した背景画像情報を合成することで合成画像情報を生成する。これによれば、様々な情報取得エリアを設定するだけで容易に、様々なパターンのデジタルデータである記入画像情報を生成することができる。また、生成した記入画像情報を任意の固定デザインである背景画像情報と合成することで、様々なパターンのデジタルデータである合成画像情報を生成することができる。よって、電子ペンにより取得するデジタルデータにおいても、通常の紙媒体において転記機能及びや減感機能等を施したのと同様の効果を得ることができる。具体的には、合成画像情報を印刷した紙媒体を、従来の複写帳票と同様に使用することができる。これによれば、複写帳票の製造コスト削減等を図ることができる。
【００１２】
上記処理装置の一態様では、前記電子ペン用帳票は、当該電子ペン用帳票に記入した情報が複写される複数枚の複写帳票と１組の帳票セットとなっており、前記合成画像情報を識別する識別情報は、１組の帳票セットを構成する各帳票の枚目を識別する情報であって、前記合成画像情報に必要な情報が記入されるエリアは、前記電子ペン用帳票に記入した情報が前記複写帳票に複写されるエリアであり、前記背景画像情報は、前記電子ペン用帳票又は前記複写帳票において記入又は複写が行われない背景画像に関する情報である。
【００１３】
上記のように構成された処理装置では、複数の帳票から構成される帳票セットの各枚目に対応するように情報取得エリアは設定されている。また、帳票セットの各枚目に対応するように背景画像情報は記憶されている。具体的に、背景画像情報は、帳票セットの各枚目において記入や複写がなされない固定デザインの部分のイメージデータである。よって、処理装置は、合成画像情報を生成することにより、紙媒体である帳票セットの各枚目にそれぞれ対応するものであって、予め各枚目に印刷された背景及び利用者が電子ペンにより各枚目に記入した内容の双方を有するデジタルデータを容易に記憶、管理することが可能となる。つまり、合成画像情報は背景及び記入内容の双方を有するため、合成画像情報を画面上に表示したり、印刷したりすることで、利用者がどの項目に何を記載したかを容易に確認することが可能となる。
【００１４】
上記プログラムをコンピュータにより実行することにより、上述の処理装置を実現することができる。また、上述の処理装置の各態様も同様に実現することができる。
【発明の効果】
【００１５】
本発明によれば、電子ペンを利用して取得するデジタルデータに基づいて、紙媒体の帳票と同様に、複写処理及び減感処理等を施した画像情報を容易に生成することが可能となる。
【発明を実施するための最良の形態】
【００１６】
以下、図面を参照して本発明の好適な実施の形態について説明する。まず、本発明のシステムにおいて入力デバイスとして使用される電子ペンの概要について説明する。
【００１７】
［電子ペン］
図１は電子ペンの使用形態を模式的に示す図であり、図２は電子ペンの構造を示す機能ブロック図である。図１に示すように、電子ペン１０は、ドットパターンが印刷された専用ペーパー２０と組み合わせて使用される。電子ペン１０は、通常のインクペンと同様のペン先部１７を備えており、利用者は通常のインクペンと同様に専用ペーパー２０上に文字などを書くことになる。
【００１８】
図２に示すように、電子ペン１０は、その内部にプロセッサ１１、メモリ１２、データ通信ユニット１３、バッテリー１４、ＬＥＤ１５、カメラ１６及び圧力センサ１８を備える。また、電子ペン１０は通常のインクペンと同様の構成要素としてインクカートリッジ（図示せず）などを有する。
【００１９】
電子ペン１０は、ペン先部１７により専用ペーパー２０上に描かれたインクの軌跡をデータ化するのではなく、専用ペーパー２０上で電子ペン１０が移動した軌跡座標をデータ化する。ＬＥＤ１５が専用ペーパー２０上のペン先部１７近傍を照明しつつ、カメラ１６が専用ペーパー２０に印刷されているドットパターンを読み取り、データ化する。つまり、電子ペン１０は専用ペーパー２０上で利用者が電子ペン１０を移動させることにより生じるストロークを画像データ又はベクトルデータとして取得することができる。
【００２０】
圧力センサ１８は、利用者が電子ペン１０により専用ペーパー上に文字などを書く際にペン先部１７に与えられる圧力、即ち筆圧を検出し、プロセッサ１１へ供給する。プロセッサ１１は、圧力センサ１８から与えられる筆圧データに基づいて、ＬＥＤ１５及びカメラ１６のスイッチオン／オフの切換を行う。即ち、利用者が電子ペン１０で専用ペーパー２０上に文字などを書くと、ペン先部１７には筆圧がかかる。よって、所定値以上の筆圧が検出されたときに、利用者が記述を開始したと判定して、ＬＥＤ１５及びカメラ１６を作動する。
【００２１】
カメラ１６は専用ペーパー２０上のドットパターンを読み取り、そのパターンデータをプロセッサ１１に供給する。プロセッサ１１は、供給されたドットパターンから、専用ペーパー２０上でのＸ，Ｙ座標を算出する。
【００２２】
プロセッサ１１は、利用者の記述が行われる間に、筆圧の配列データ及びＸ，Ｙ座標データを取得し、タイムスタンプ（時間情報）と関連付けてメモリ１２に記憶していく。よって、メモリ１２内には利用者の記述内容に対応するデータが時系列で記憶されていく。メモリ１２の容量は例えば１Ｍバイト程度とすることができる。
【００２３】
利用者により送信指示がなされるまでは、取得された全てのデータはメモリ１２内に保持される。そして、利用者が送信指示を行うと、データ通信ユニット１３により、電子ペン１０と所定距離内にある端末装置２５へメモリ１２内のデータが送信される。基本的には、一度送信指示がなされると、電子ペン１０はメモリ１２内に記憶していた全てのデータを端末装置２５へ送信するため、メモリ１２内はクリアされる。よって、送信後にもう一度同じ情報を端末装置２５へ送信したい場合には、利用者は専用ペーパー２０上に再度記述を行う必要がある。なお、この場合、利用者は専用ペーパー２０上にインクペンで書かれた文字などをなぞればよいことになる。
【００２４】
送信指示その他の指示は、利用者が専用ペーパー２０上の所定位置に設けられた専用ボックスを電子ペン１０でチェックすることにより実行される。専用ボックスの位置座標には、予め送信指示が対応付けられており、プロセッサ１１は専用ボックスの位置座標を受信すると、データ通信ユニット１３にメモリ１２内のデータを供給し、端末装置２５への送信を行わせる。なお、電子ペン１０は、データの送信完了を電子ペンの振動により示すことができる。また、電子ペン１０自体が、送信機能を搭載していることとしてもよい。
【００２５】
バッテリー１４は電子ペン１０内の各要素に電源供給するためのものであり、例えば電子ペンのキャップ（図示せず）により電子ペン１０自体の電源のオン／オフを行うことができる。
【００２６】
このように、電子ペン１０は利用者が専用ペーパー２０上に記述した文字などに対応する座標データ及び筆圧データを取得して近傍の端末装置２５へ送信する機能を有するが、電子ペン１０のペン先部１７は通常のインクペンとなっているため、専用ペーパー２０上に記述した内容はオリジナルの原本として残るという特徴がある。即ち、紙の原本に対して記述するのと同時に、その内容を座標データなどの形態でリアルタイムに電子化することができる。
【００２７】
なお、電子ペン１０の標準機能によれば、電子ペン１０により得られるデータは、原則として座標データ又はベクトルデータの形態であり、テキストデータではない。但し、電子ペン１０は標準機能として、専用ペーパー２０上に設けられた専用エリアに記述することにより、英数字に限りテキスト化する機能は備えている。
【００２８】
また、電子ペン１０内には、ペン自体及びその所有者に関するプロパティ情報（ペン情報及びペン所有者情報）を保持することができ、アプリケーションから参照することができる。ペン情報としては、バッテリーレベル、ペンＩＤ、ペン製造者番号、ペンソフトウェアのバージョン、サブスクリプションプロバイダのＩＤなどを保持できる。また、ペン所有者情報としては、国籍、言語、タイムゾーン、emailアドレス、空きメモリ容量、名称、住所、ファックス／電話番号、携帯電話番号などを保持することができる。
【００２９】
なお、上記の例におけるデータ通信ユニット１３では、Bluetooth（登録商標）の無線伝送、ＵＳＢケーブルを使用した有線伝送、端子などの接触によるデータ伝送など、各種の方法によって電子ペン１０から端末装置２５へのデータ送信を行うことが考えられる。
【００３０】
次に、電子ペンにより利用者が記述した内容のＸ，Ｙ座標データを取得する方法について説明する。前述のように専用ペーパー２０には、所定のドットパターンが印刷されている。電子ペン１０のカメラ１６は、利用者が専用ペーパー２０上に記述したインクの軌跡を読み取るのではなく、専用ペーパー２０上のドットパターンを読み取る。実際、図１に示すように、ＬＥＤ１５による照明エリア及びカメラ１６の撮影エリア（照明エリア内に位置する）は、ペン先部１７が専用ペーパー２０に接触する位置とはずれている。
【００３１】
ドットパターンはカーボンを含む専用インキなどで印刷されており、カメラ１６はその専用インキによるパターンのみを認識することができる。専用インキ以外のインキ（カーボンを含まない）により、専用ペーパー上に罫線や枠などを印刷しても、電子ペンはそれらを認識することはない。よって、専用ペーパーを利用して各種申込書などの帳票を生成する際は、専用インキ以外のインキで入力枠や罫線、注意書きなどを印刷する。
【００３２】
ドットパターンは、図３に例示するように、各ドットの位置がデータに対応付けされている。図３の例では、ドットの位置を格子の基準位置（縦線及び横線の交差点）から上下左右にシフトすることにより、０〜３の２ビット情報を表示した例である。このようにして表現された情報の組合せにより、専用ペーパー上の位置座標が決定される。図４（ａ）に例示するように、縦横２mmの範囲内に３６個のドットが格子状に配置され、これらのドットにより示されるデータの配列（図４（ｂ））が、その専用ペーパー上の位置座標と対応付けされている。よって、電子ペン１０のカメラ１６が図４（ａ）に示すようなドットパターンを撮影すると、プロセッサ１１はカメラ１６から入力されるドットパターンのデータに基づいて図４（ｂ）に示すデータ配列を取得し、それに対応する専用ペーパー上の位置座標（即ち、そのドットパターンがその専用ペーパー上のどの位置にあるのか）をリアルタイムで算出する。なお、ドットパターンを認識する最小単位は２mm×２mmであり、カメラ１６は毎秒１００回程度の撮影を行う。
【００３３】
次に、専用ペーパーについて説明する。専用ペーパーの構造の一例を図５に示す。図示のように、専用ペーパー２０は、台紙３０上にドットパターン３２が印刷され、その上に罫線などの図案３４が印刷されている。台紙３０は通常は紙であり、ドットパターン３２は前述のようにカーボンを含んだ専用インキにより印刷される。また、通常のインキなどにより図案３４が印刷される。ドットパターンと図案とは同時に印刷してもよいし、いずれかを先に印刷してもよい。
【００３４】
図案３４の例を図６に示す。図６は、ある申込書３６の例であり、複数の記入欄３８や送信ボックス３９が印刷されている。図６には明確に図示されておらず、詳細は後述するが、実際にはドットパターンが申込書３６の全面に印刷されており、その上に記入欄３８や送信ボックス３９が通常のインキにより印刷されている。利用者は、ドットパターンを意識することなく、従来からある申込書と同様に、電子ペン１０を使用して必要事項を申込書３６の各記入欄３８に記入すればよい。
【００３５】
専用ペーパー２０上のエリアは大きく２種類のエリアに分けることができる。１つは記入エリアであり、電子ペン１０による記述内容をそのまま情報として取り扱うエリアである。図６の例では複数の記入欄３８がこれに該当する。もう１つは機能エレメントであり、対応するエリア内を電子ペン１０でチェックした際に、予めそのエリアに対して定義されているアクション、指示などを実行するようになっている。図６の例における送信ボックス３９がこれに該当する。
【００３６】
送信ボックス３９は前述したように電子ペン１０内に記憶されているデータを近傍の端末装置２５へ送信するための指示を行う際に使用される。利用者が送信ボックス３９内に電子ペン１０でチェックを入れると、電子ペン１０が送信ボックス内のドットパターンを読み取る。当該パターンは送信指示に対応付けられており、電子ペン１０内のプロセッサ１１はデータ通信ユニット１３にメモリ１２内の記憶データの送信命令を発する。
【００３７】
ドットパターンの割り当ては、通常、アプリケーション（用紙の種類）毎に行われる。即ち、ある申込書内のドットパターンは１枚の用紙の中で重複することはないが、同一の申込書には全て同じドットパターンが印刷されている。よって、利用者が電子ペン１０で必要事項を入力すると、その入力事項がその申込書のどの項目に対するものであるかを、申込書上の座標データから特定することができる。
【００３８】
このように、ドットパターンを印刷した専用ペーパー上に所定の図案を印刷することにより、専用ペーパーを利用した各種申込書が生成できる。利用者は電子ペン１０を使用して通常の要領で必要事項を記入すれば、その電子データが自動的に取得される。
【００３９】
上記の例では、ドットパターンは専用ペーパー上にカーボンを含むインキにより印刷されているが、プリンタ及びカーボンを含むインクを使用してドットパターンを通常の紙上にプリントすることも可能である。さらに、専用ペーパー上の図案も印刷ではなく、プリンタにより形成することも可能である。ドットパターンをプリンタにより紙上に形成する場合には、１枚１枚に異なるドットパターンを形成することが可能である。よって、形成されたドットパターンの違いにより、それらの用紙１枚１枚を識別し、区別することが可能となる。
【００４０】
なお、本明細書においては、「印刷」の語は、通常の印刷のみならず、プリンタによるプリントも含む概念とする。
【００４１】
次に、電子ペンにより取得したデータの送信処理について図２を参照して説明する。電子ペン１０が取得したデータは、主として利用者が入力した事項のデータであるが、通常はそのデータの送信先であるサービスサーバがどこであるかの情報は含まれていない。その代わりに、その専用ペーパーに関するアプリケーションやサービスを特定する情報が専用ペーパー上のドットパターンに含まれており、利用者の入力作業中に専用ペーパーからその情報が取得されている。よって、電子ペン１０から記入情報を受け取った端末装置２５は、まず、問い合わせサーバ２６に対して、その専用ペーパーに対して入力されたデータをどのサービスサーバ２７へ送信すべきかの問い合わせを行う。問い合わせサーバ２６は、専用ペーパー毎に、対応するサービスサーバの情報を有しており、端末装置２５からの問い合わせに応じて、当該専用ペーパーに関するサービスなどを行うサービスサーバ２７の情報（ＵＲＬなど）を端末装置２５へ回答する。それから、端末装置２５は、電子ペンから取得した記入情報をそのサービスサーバ２７へ送信することになる。
【００４２】
なお、上記の例では端末装置２５、問い合わせサーバ２６及びサービスサーバ２７が別個に構成されているが、これらの幾つか又は全てを１つの装置として構成することも可能である。本実施形態において後述するサーバは、問い合わせサーバ２６及びサービスサーバ２７を兼ねていることとしている。
【００４３】
[処理システム]
次に、本発明の処理システムについて説明する。図７に処理システム１００の概略構成を示す。図７に示す処理システム１００は、電子ペン１０により、上述の専用ペーパーに記入された情報を取得し、複写処理及び減感処理を施した状態と同様の記入画像情報及び合成画像情報を生成するシステムである。
【００４４】
なお、本実施形態では、専用ペーパーとして電子ペン１０が認識可能なドットパターンが印刷された電子ペン用帳票を使用するものとする。具体的に、本実施形態では、電子ペン用帳票は、ドットパターンが印刷されていない紙媒体であって電子ペン用帳票に記入された情報が複写される複写帳票とセットなっているものとする。つまり、１枚の電子ペン用帳票と、複数枚の複写帳票とから構成される申込書３を使用するものとし、利用者は電子ペン１０を使用して申込書を構成する電子ペン用帳票に記入を行う。
【００４５】
図７に示すように、処理システム１００は、端末装置２５及びサーバ５がネットワーク２を通じて接続されることにより構成される。ここで、ネットワーク２の１つの好適な例はインターネットである。また、端末装置２５とは、利用者が使用するパーソナルコンピュータ（以下、「ＰＣ」と呼ぶ。）や携帯電話といったネットワークを介してデータの授受が可能な端末装置である。電子ペン１０により申込書３に記入された記入内容は、記入情報として端末装置２５を介し、サーバ５へ送信される。記入情報は、利用者が記入した記入内容に関するストロークや座標に関する情報等が含まれている。
【００４６】
サーバ５は、取得した記入情報に基づいて、複写処理及び減感処理を施した状態と同様の記入画像情報及び合成画像情報を生成する。また、サーバ５は、背景画像データベース（以下、「ＤＢ」と呼ぶ。）６、エリア座標ＤＢ７及び合成画像ＤＢ８に接続されている。
【００４７】
[申込書]
ここで、処理システム１００で使用する申込書３について、図８を参照して説明する。図８は、申込書３の例である。
【００４８】
申込書３は、上部が糊付けされることで１組となっている２枚の帳票から構成されている。図示のように１枚目は、ドットパターンが印刷された電子ペン用帳票であって、名前項目、住所項目、所得項目及び家族構成項目から構成されている。一方、２枚目はドットパターンが印刷されていない複写帳票であって、名前項目、住所項目及び注意事項項目から構成されている。なお、各枚目の左上には、各枚目を識別する枚目ＩＤが印刷されている。本実施形態では、１枚目の枚目ＩＤを「Ｐ１」、２枚目の枚目ＩＤを「Ｐ２」とする。また、利用者による記入が完了すると１枚目を「会社控」、２枚目を「お客様控」として別々に運用するものとする。
【００４９】
利用者は、申込書３の１枚目に、電子ペン１０を使用して必要事項の記入を行う。具体的に、利用者は、電子ペン１０を使用して名前項目、住所項目、所得項目及び家族構成項目に記入を行う。このように、利用者が１枚目に記入した情報の全部又は一部は、申込書３の２枚目に複写される。具体的に、利用者が１枚目の名前項目及び住所項目に記入した情報は、２枚目の名前項目及び住所項目に複写される。このとき、利用者が１枚目の所得項目及び家族構成項目に記入した情報は、２枚目に複写されない。これは、２枚目には注意事項項目が印刷されており、申込書３には、１枚目の所得項目及び家族構成項目が２枚目に複写されないような処理が予め施されているからである。複写されないような処理とは、例えば、カーボン複写において１枚目の裏にカーボンを配置しない、ノンカーボン複写において特別なインクを使用する等、申込書３の性質に応じて種々の方法が考えられる。本実施形態では、複写されないような処理を便宜上「減感処理等」と呼ぶ。
【００５０】
なお、申込書３は、１枚目にしかドットパターンが印刷されていないため、利用者が電子ペン１０を使用して申込書３に記入した場合、サーバ５は当該電子ペン１０から１枚目に記入した情報のみ取得することができる。換言すると、サーバ５は、ドットパターンが印刷された１枚目に記入した情報しかデジタルデータとして取得することはできない。
【００５１】
また、本実施形態では、申込書３が２枚の帳票から構成されることとなっているが、１枚目が電子ペン用帳票であれば、ドットパターンが印刷されていない複写帳票は１枚に限らず何枚であってもかまわない。つまり、申込書３の構成及びデザインは任意に設定することができるが、利用者は、電子ペン１０を使用して１枚目の電子ペン用帳票にのみ記入を行うため、１枚目には、全ての複写帳票が必要な情報を記入するための項目が盛り込まれているものとする。
【００５２】
[記入画像情報の生成]
次に、サーバ５が、申込書３に記入された記入情報に基づいて、各枚目に対応する記入画像情報を生成する方法について図９及び図１０を参照して説明する。図９は、情報取得エリアを模式的に示す図である。図１０は、サーバ５が生成する記入画像情報の例である。
【００５３】
サーバ５は、記入情報から、予め設定された情報取得エリア内に記入された内容に対応する情報を抽出することで、記入画像情報を生成する。ここで、画像情報とは、例えばＪＰＥＧ等のイメージデータである。情報取得エリアは、申込書３を構成する各枚目に応じてそれぞれ設定されており、各枚目において情報が記入又は複写されるエリアを示している。具体的に、図９に示すように、申込書３の１枚目に対応する情報取得エリアは、名前項目、住所項目、所得項目及び家族構成項目を含むエリアとなる。一方、申込書３の２枚目に対応する情報取得エリアは、名前項目及び住所項目のみを含むエリアとなる。つまり、情報取得エリアにより、サーバ５は、２枚目の名前項目及び住所項目のように１枚目の記入情報から複写される項目と、２枚目の注意事項項目のように１枚目の記入情報から複写されない項目とを識別することが可能となる。
【００５４】
上述のように、申込書３の１枚目である電子ペン用帳票には、全ての複写帳票が必要な情報を記入するための項目が盛り込まれている。よって、申込書３の１枚目に記入された情報のデジタルデータである記入情報から、各枚目に対応する情報取得エリア内に記入された内容に対応する情報を抽出することは、各枚目に記入又は複写された情報に対応する情報を抽出することとなる。このように抽出した情報に基づいて、サーバ５は、図１０に示すように、各枚目に対応する記入画像情報を生成する。換言すると、記入画像情報は、各枚目に記入又は複写された情報に対応する画像情報であって、申込書３を構成する帳票の数だけ生成される。
【００５５】
このような記入画像情報を生成することにより、処理システム１００は、紙媒体である申込書３の各枚目にそれぞれ対応するデジタルデータを容易に記憶、管理することが可能となる。
【００５６】
なお、情報取得エリアに関する情報は、エリア座標ＤＢ７に記憶されている。情報取得エリアは枚目毎に設定されるため、エリア座標ＤＢ７は、各枚目を識別する枚目ＩＤと、情報取得エリアを示すドットパターン上の位置座標であるエリア座標情報とを対応付けて記憶している。本実施形態において、エリア座標情報は、情報取得エリアの左上頂点座標及び右下頂点座標により、当該情報取得エリアを特定している。しかし、本発明はこれに限定されるものではなく、情報取得エリアを特定する情報であれば、エリア座標情報の表現方法やデータ形式は任意に設定することができる。
【００５７】
[合成画像情報の生成]
次に、サーバ５が、申込書３に記入された記入情報に基づいて、各枚目に対応する合成画像情報を生成する方法について図１１及び図１２を参照して説明する。図１１は、背景画像情報の例である。図１２は、サーバ５が生成する合成画像情報の例である。
【００５８】
サーバ５は、上述のように生成した記入画像情報と、予め背景画像ＤＢ６に記憶している背景画像情報とを合成することにより合成画像情報を生成する。背景画像情報は、図１１に示すように、申込書３を構成する各枚目の固定デザインである背景の画像情報である。各枚目の背景はそれぞれ異なるため、それに対応し、背景画像情報も枚目毎に異なるものである。
【００５９】
サーバ５は、図１０に示すような１枚目に対応する記入画像情報と、図１１に示すような１枚目に対応する背景画像情報とを合成することで、図１２に示すような１枚目に対応する合成画像情報を生成する。また、サーバ５は、図１０に示すような２枚目に対応する記入画像情報と、図１１に示すような２枚目に対応する背景画像情報とを合成することで、図１２に示すような２枚目に対応する合成画像情報を生成する。つまり、サーバ５は、同一の枚目の記入画像情報と背景画像情報を合成することで、申込書３の各枚目に対応する合成画像情報を生成する。
【００６０】
このような合成画像情報を生成することにより、処理システム１００は、紙媒体である申込書３の各枚目にそれぞれ対応するものであって、予め各枚目に印刷された背景、及び、利用者が電子ペンにより各枚目に記入した内容の双方を有するデジタルデータを容易に記憶、管理することが可能となる。これによれば、合成画像情報は背景及び記入内容の双方を有するため、合成画像情報を画面上に表示したり、印刷したりすることで、利用者がどの項目に何を記載したかを容易に確認することができる。
【００６１】
通常、紙媒体である申込書３の各枚目には、それぞれ複写処理や減感処理が施されているが、本発明の処理システム１００は、複写処理や減感処理が施された各枚目に対応するデジタルデータを生成している。つまり、本発明の処理システム１００によれば、電子ペン１０から取得したデジタルデータにおいても、紙媒体における複写印刷及び減感印刷と同様に、転記機能及び減感機能を搭載することが可能となる。
【００６２】
[サーバ]
次に、サーバ５について詳しく説明する。図１３は、処理システム１００における、特にサーバ５の内部構成を示す。図示のように、サーバ５は、解析プログラム１０１、記入情報取得機能１０２、エリア座標情報抽出機能１０３、記入画像情報生成機能１０４、背景画像情報抽出機能１０５、合成画像情報生成機能１０６及び合成画像情報記憶機能１０７を有する。また、サーバ５は、背景画像ＤＢ６、エリア座標ＤＢ７及び合成画像ＤＢ８に接続されている。なお、各機能は、サーバ５が有するＣＰＵが予め用意されたプログラムを実行することにより実現される。
【００６３】
解析プログラム１０１は、端末装置２５を介して電子ペン１０から取得した記入情報に基づいて、申込書３の各枚目に対応する記入画像情報及び合成画像情報を生成し、合成画像ＤＢ８に記憶するプログラムである。
【００６４】
記入情報取得機能１０２は、解析プログラム１０１を実行することにより、利用者が電子ペン１０を使用して申込書３に記入した記入情報を取得する機能である。具体的に、本実施形態において記入情報取得機能１０２は、利用者が電子ペン１０を使用して申込書３の１枚目である電子ペン用帳票に記入した記入情報を取得する。
【００６５】
エリア座標情報抽出機能１０３は、申込書３を構成する特定の枚目を識別する枚目ＩＤに基づいて、エリア座標ＤＢ７から、対応するエリア座標情報を抽出する機能である。予め申込書３の１枚目である電子ペン用帳票上には、各枚目に対応するように情報取得エリアが設定されており、エリア座標情報は、情報取得エリアを特定するための座標情報である。ここで、図１５を参照し、エリア座標ＤＢ７について説明する。図１５は、エリア座標ＤＢ７のデータ構造を模式的に示す図である。図示のように、エリア座標ＤＢ７は、枚目ＩＤとエリア座標情報が対応付けて記憶されている。枚目ＩＤとは、申込書３を構成する各枚目を識別する情報である。エリア座標情報とは、各枚目に対応するように設定された情報取得エリアを特定するドットパターン上の位置座標である。エリア座標情報抽出機能１０３は、特定の枚目ＩＤをキーとして、図示のようなエリア座標ＤＢ７を参照することで容易に、対応するエリア座標情報を抽出することができる。
【００６６】
記入画像情報生成機能１０４は、記入情報取得機能１０２が取得した記入情報から、エリア座標情報抽出機能１０３が抽出したエリア座標情報に基づいて、情報取得エリア内に記入された内容に対応する情報を抽出し、記入画像情報を生成する機能である。
【００６７】
背景画像情報抽出機能１０５は、エリア座標情報抽出機能１０３がキーとした特定の枚目ＩＤに基づいて、背景画像ＤＢ６から、対応する背景画像情報を抽出する機能である。ここで、背景画像ＤＢ６について図１４を参照して説明する。図１４は、背景画像ＤＢ６のデータ構造を模式的に示す図である。図示のように、背景画像ＤＢ６は、枚目ＩＤと背景画像情報が対応付けて記憶されている。枚目ＩＤとは、申込書３を構成する各枚目を識別する情報である。背景画像情報とは、各枚目の固定デザインである背景画像のイメージデータ等である。背景画像情報抽出機能１０５は、特定の枚目ＩＤをキーとして、図示のような背景画像ＤＢ６を参照することで容易に、対応する背景画像情報を抽出することができる。
【００６８】
合成画像情報生成機能１０６は、記入画像情報生成機能１０４が生成した記入画像情報と、背景画像情報抽出機能１０５が抽出した背景画像情報とを合成することにより、合成画像情報を生成する機能である。このとき合成する記入画像情報及び背景画像情報は共に同一の枚目ＩＤに対応付けられた情報である。つまり、合成画像情報生成機能１０６は、申込書３を構成する各枚目に対応するデジタルデータである合成画像情報を生成する。
【００６９】
合成画像情報記憶機能１０７は、合成画像情報生成機能１０６が生成した合成画像情報を、当該合成画像情報が対応する枚目の枚目ＩＤに対応付けて合成画像ＤＢ８に記憶する機能である。ここで、合成画像ＤＢ８について図１６を参照して説明する。図１６は、合成画像ＤＢ８のデータ構造を模式的に示す図である。図示のように、合成画像ＤＢ８は、枚目ＩＤと合成画像情報が対応付けて記憶されている。枚目ＩＤとは、申込書３を構成する各枚目を識別する情報である。合成画像情報とは、各枚目の背景及び記入内容に対応するデジタルデータである。具体的に、合成画像情報は、ＪＰＥＧ等のイメージデータである。サーバ５は、枚目ＩＤに基づいて合成画像ＤＢ８から対応する合成画像情報を抽出し、当該合成画像情報を画面上に表示したり、印刷したりすることで、申込書３の各枚目に記入又は複写された内容を容易に確認することができる。
【００７０】
[合成画像情報生成処理]
次に、上記処理システム１００により実行される合成画像情報生成処理について説明する。図１７は、合成画像情報生成処理のフローチャートである。
【００７１】
なお、本実施形態の合成画像情報生成処理は、申込書３を構成する全ての枚目に対応する合成画像情報を自動的に生成するものとし、フローチャートにおける「ｎ」の初期値は「１」であるものとする。しかし、本発明はこれに限定されるものではなく、例えば利用者が指定した枚目の合成画像情報のみを適宜生成することとしてもよい。
【００７２】
利用者は、まず、電子ペン１０を使用して申込書３に記入を行う。具体的に、利用者は、電子ペン１０を使用して申込書３の１枚目である電子ペン用帳票の項目内に記入を行う。電子ペン１０は、記入された記入情報を、端末装置２５を介してサーバ５へ送信する。サーバ５は、端末装置２５を介して、電子ペン１０から記入情報を取得する（ステップＳ１）。
【００７３】
サーバ５は、まず、エリア座標ＤＢ７から１枚目に対応するエリア座標情報を抽出する（ステップＳ２）。具体的に、サーバ５は、枚目ＩＤ「Ｐ１」をキーとして、エリア座標ＤＢ７から対応するエリア座標情報を抽出する。さらに、サーバ５は、取得した記入情報から、抽出したエリア座標情報に基づいて、１枚目に対応する情報取得エリア内に記入された内容に対応する情報を抽出し、記入画像情報を生成する（ステップＳ３）。また、サーバ５は、背景画像ＤＢ６から１枚目に対応する背景画像情報を抽出する（ステップＳ４）。具体的に、サーバ５は、枚目ＩＤ「Ｐ１」をキーとして、背景画像ＤＢ６から対応する背景画像情報を抽出する。
【００７４】
サーバ５は、生成した記入画像情報と、抽出した背景画像情報とを合成することで、１枚目の背景及び記入内容に対応するデジタルデータである合成画像情報を生成する（ステップＳ５）。さらに、サーバ５は、枚目ＩＤ「Ｐ１」をキーとして、生成した合成画像情報を合成画像ＤＢ８に記憶する（ステップＳ６）。そして、サーバ５は、申込書３を構成する全ての枚目に対応する合成画像情報を生成したか否かを判定する（ステップＳ７）。全ての枚目に対応する合成画像情報を生成していないと判定した場合（ステップＳ７；Ｎｏ）、サーバ５は、フローチャートにおける「ｎ」に１を加算し（ステップＳ８）、２枚目に対応する合成画像情報を生成すべくステップＳ２乃至Ｓ６の処理を繰り返し行う。一方、全ての枚目に対応する合成画像情報を生成したと判定した場合（ステップＳ７；Ｙｅｓ）、サーバ５は、合成画像情報生成処理を完了する。
【００７５】
このように、本発明によれば、サーバ５は、申込書３の枚目毎にどの情報取得エリア内の記入内容に対応する記入画像情報を生成すべきかを自動的に判断し、背景画像情報と合成することで容易に合成画像情報を生成する。具体的に、サーバ５は、予め枚目毎に設定された情報取得エリアに基づいて、記入情報から記入画像データを生成し、背景画像情報と合成することで合成画像情報を生成する。つまり、サーバ５は、紙媒体である申込書３を構成する各帳票に対応する合成画像情報を生成することができる。換言すると、予め枚目毎に情報取得エリアを設定することで、サーバ５は、当該情報取得エリアに基づき、任意の複写処理及び減感処理が施された各枚目に対応する合成画像情報を生成することができる。よって、本発明によれば、電子ペン１０により取得したデジタルデータにおいても、通常の紙媒体と同様に、転記機能及び減感機能を搭載することが可能となる。
【００７６】
なお、本実施形態では、図１３に示すように、サーバ５が各種機能及び各種ＤＢを有することとしているが、本発明はこれに限定されるものではなく、各種機能及び各種ＤＢを端末装置２５が有することとしてもよい。つまり、電子ペン１０から記入情報を取得した端末装置２５が、合成画像情報生成処理を行うこととしてもよい。
【００７７】
また、本実施形態では、図１５に示すようにエリア座標ＤＢ７は、枚目ＩＤ及びエリア座標情報から構成されることとしている。しかし、本発明はこれに限定されるものではなく、エリア座標ＤＢ７は、これに加え、エリア座標情報が示す情報取得エリア内に配置されている各項目の識別情報や名称を記憶することとしてもよい。即ち、エリア座標ＤＢ７のデータ構成は任意に設定することができるが、必ず情報取得エリアを特定するエリア座標情報を有しているものとする。サーバ５は、電子ペン用帳票上に配置された項目のフィールド定義を意識することなく、情報取得エリアに基づいて記入画像情報の生成や合成画像情報の生成を行うからである。
【００７８】
また、本実施形態では、サーバ５が合成画像情報を生成し、合成画像ＤＢ８により管理することが記載されている。合成画像ＤＢ８により管理された合成画像情報は、所定の指示により、端末装置２５に送信して画面上に表示させたり、印刷したりすることができる。このとき、予め端末装置２５のログインＩＤと、アクセス権限とを対応づけておけば、サーバ５は、端末装置２５による合成画像情報の表示や印刷を制限することができる。例えば、部長レベルの利用者の場合、端末装置２５により申込書３の１枚目に対応する合成画像情報を閲覧することができるが、課長レベルの利用者の場合、端末装置２５により申込書３の２枚目に対応する合成画像情報しか閲覧できないような制限を設定することができる。つまり、役職レベルの低い利用者は、端末装置２５により所得項目及び家族構成項目を閲覧できないような制限を設定することができる。
【００７９】
また、本実施形態では、申込書３は、１枚の電子ペン用帳票と、複数枚の複写帳票とから構成されることとしているが、本発明はこれに限定されるものではなく、申込書３が１枚の電子ペン用帳票であることとしてもよい。この場合、紙媒体の帳票は電子ペン用帳票１枚であるが、予め設定された背景画像情報や情報取得エリアに基づいて、サーバ５は、複数パターンの合成画像情報を生成することができる。よって、生成した合成画像情報を印刷した紙媒体を、従来の複写帳票と同様に使用することができる。これによれば、申込書３の製造コスト削減等を図ることができる。
【００８０】
[変形例]
上記実施形態では、申込書３は、１枚の電子ペン用帳票と、複数枚の複写帳票とから構成されており、１枚目の電子ペン用帳票に、複写帳票が必要とする情報が記入される項目が全て盛り込まれていることとしている。しかし、本発明はこれに限定されるものではなく、図１８に示すように、申込書３が複数の電子ペン用帳票から構成されており、複数の枚目に記入された情報に基づいて記入画像情報及び合成画像情報を生成することとしてもよい。
【００８１】
この場合、申込書３の１枚目及び２枚目の双方にドットパターンが印刷されている。利用者が、電子ペン１０を使用して１枚目の名前項目、住所項目及び所得項目に記入すると、２枚目の名前項目、住所項目及び所得項目にその内容が複写される。１枚目には家族構成項目が配置されていないため、利用者が１枚目に記入を行っても、２枚目の家族構成項目には何も複写されない。よって、利用者は、１枚目をめくり、電子ペン１０を使用して２枚目の家族構成項目に記入を行う。電子ペン１０は、１枚目の名前項目、住所項目及び所得項目に記入された情報と、２枚目の家族構成項目に記入された情報とを併せて記入情報とし、端末装置２５を介してサーバ５へ送信する。サーバ５は、電子ペン１０から取得した記入情報に基づいて、上記実施形態と同様に記入画像情報及び合成画像情報を生成する。
【００８２】
なお、例えば申込書３の２枚目のように、対応する記入画像情報を生成するために複数枚に記入された情報が必要な場合、情報取得エリアも、図１８の破線で示すように、複数枚にわたるエリアとなる。よって、サーバ５は、記入情報から情報取得エリアに基づいて、１枚目に記入された情報と２枚目に記入された情報の双方を有する記入画像情報を生成する。
【産業上の利用可能性】
【００８３】
本発明によれば、電子ペンを利用して取得するデジタルデータに基づいて、紙媒体の帳票と同様に、複写処理及び減感処理を施した画像情報を容易に生成することができる。
【図面の簡単な説明】
【００８４】
【図１】電子ペンの使用形態を模式的に示す図である。
【図２】電子ペンの構造を示す機能ブロック図である。
【図３】専用ペーパーに印刷されたドットパターンによる情報の表現方法を説明する図である。
【図４】ドットパターン及びそれに対応する情報の例である。
【図５】専用ペーパーにより構成される帳票の構造を示す。
【図６】電子ペン用帳票の例を示す。
【図７】処理システムの概略構成を示す。
【図８】申込書の例である。
【図９】情報取得エリアを模式的に示す図である。
【図１０】記入画像情報の例である。
【図１１】背景画像情報の例である。
【図１２】合成画像情報の例である。
【図１３】処理システムに含まれるサーバの機能ブロック図である。
【図１４】背景画像ＤＢのデータ構造を模式的に示す図である。
【図１５】エリア座標ＤＢのデータ構造を模式的に示す図である。
【図１６】合成画像ＤＢのデータ構造を模式的に示す図である。
【図１７】合成画像情報生成処理のフローチャートである。
【図１８】変形例における申込書の例である。
【符号の説明】
【００８５】
２…ネットワーク
３…申込書
５…サーバ
１０…電子ペン
１１…プロセッサ
１２…メモリ
１３…データ通信ユニット
１４…バッテリー
２５…端末装置
２６…問い合わせサーバ
２７…サービスサーバ
１００…処理システム
【図１】
2008097120.tif 000003
【図２】
2008097120.tif 000004
【図３】
2008097120.tif 000005
【図４】
2008097120.tif 000006
【図５】
2008097120.tif 000007
【図６】
2008097120.tif 000008
【図７】
2008097120.tif 000009
【図８】
2008097120.tif 000010
【図９】
2008097120.tif 000011
【図１０】
2008097120.tif 000012
【図１１】
2008097120.tif 000013
【図１２】
2008097120.tif 000014
【図１３】
2008097120.tif 000015
【図１４】
2008097120.tif 000016
【図１５】
2008097120.tif 000017
【図１６】
2008097120.tif 000018
【図１７】
2008097120.tif 000019
【図１８】
2008097120.tif 000020